(57)【要約】【課題】事前に所定の時間後の視聴および録画の可否判定が可能で、映像記録再生装置において視聴および録画不能な場合に対処が可能な映像記録再生装置および映像記録再生システムを提供する。【解決手段】位置情報記録テーブルの現在位置に基づいて予想位置を算出し、予想位置がワンセグ受信不可能地域テーブルに一致した場合には外部の記録装置６に予約録画情報を送信して予約録画を設定するため、映像記録再生装置１がワンセグ受信不可能地域２Ｂに移動しても、ワンセグ受信不可能地域に進入する前に予約録画の失敗を防止する対策を講じることができる。【選択図】図１
2008182344.tif 000002
【特許請求の範囲】
【請求項１】
映像情報を受信する映像受信部と、
現在位置を取得する位置情報取得部と、
外部ネットワークと通信可能な通信部と、
前記現在位置の履歴である位置履歴情報と、放送番組及び録画開始時刻を含む予約録画情報と、前記映像受信部が映像情報を受信できない地域の位置情報とを格納する記憶部と、
前記位置履歴情報に基づいて前記録画開始時刻の予想位置を算出し、前記予想位置が前記映像情報を受信できない地域に含まれる場合には、前記通信部を介して前記外部ネットワークに接続された受信可能状態にある外部機器へ予約録画情報を送信する制御部とを有することを特徴とする映像記録再生装置。
【請求項２】
前記制御部は、前記予想位置が前記映像情報を受信できない地域に含まれる場合には、ユーザに受信不可能である旨を報知することを特徴とする請求項１に記載の映像記録再生装置。
【請求項３】
前記制御部は、前記通信部を介して前記外部機器へ前記予約録画情報を送信した後、前記録画開始時刻前に前記位置情報取得部が取得した前記現在位置が、前記映像情報を受信できない地域に含まれなかった場合、前記外部ネットワークに接続された受信可能状態にある機器へ前記予約録画情報による録画を取り消す命令を送信することを特徴とする請求項１に記載の映像記録再生装置。
【請求項４】
前記制御部は、前記位置履歴情報に基づいて動きベクトルを求めて前記予想位置を計算することを特徴とする請求項１に記載の映像再生記録装置。
【請求項５】
前記制御部は、前記位置履歴情報と地図情報とに基づいて前記予想位置を計算することを特徴とする請求項１に記載の映像記録再生装置。
【請求項６】
前記制御部は、前記通信部を介して外部ネットワークに接続された機器から前記映像受信部が映像情報を受信できない地域の位置情報を受信して前記記憶部へ格納することを特徴とする請求項１に記載の映像記録再生装置。
【請求項７】
映像情報を受信する映像受信部と、
前記受信部で受信した前記映像情報を再生する再生部と、
現在位置を取得する位置情報取得部と、
外部ネットワークと通信可能な通信部と、
前記現在位置の履歴である位置履歴情報と、前記映像受信部が映像情報を受信できない地域の位置情報を格納する記憶部と、
前記位置履歴情報に基づいて所定の時間後の予想位置を算出し、前記映像受信部で受信した映像情報の再生中に、前記予想位置が前記映像情報を受信できない地域に含まれる場合には、前記通信部を介して前記外部ネットワークに接続された受信可能状態にある外部機器へ前記視聴中の映像情報を録画するための録画命令を送信する制御部とを有することを特徴とする映像記録再生装置。
【請求項８】
前記制御部は、前記予想位置が前記映像情報を受信できない地域に含まれる場合には、ユーザに受信不可能である旨を報知することを特徴とする請求項７に記載の映像記録再生装置。
【請求項９】
前記制御部は、前記通信部を介して前記外部機器へ前記録画命令を送信した後、前記位置情報取得部が取得した前記現在位置が、前記映像情報を受信できない地域に含まれない場合、前記外部ネットワークに接続された受信可能状態にある機器へ録画を停止する停止命令を送信することを特徴とする請求項７に記載の映像記録再生装置。
【請求項１０】
前記制御部は、位置履歴情報に基づいて動きベクトルを求めて前記予想位置を計算することを特徴とする請求項７に記載の映像再生記録装置。
【請求項１１】
前記制御部は、位置履歴情報と地図情報に基づいて前記予想位置を計算することを特徴とする請求項７に記載の映像記録再生装置。
【請求項１２】
前記制御部は、前記通信部を介して外部ネットワークに接続された機器から前記映像受信部が映像情報を受信できない地域の位置情報を受信して前記記憶部へ格納することを特徴とする請求項７に記載の映像記録再生装置。
【請求項１３】
映像情報を受信可能であると共に現在位置を取得可能であり、ネットワークを介して通信可能な映像記録再生装置と、
前記ネットワークに接続されて前記映像記録再生装置と通信可能で、映像情報を受信および記録可能な記録装置とを有し、
前記映像記録再生装置は、受信した現在位置に基づいて所定の時間後に前記映像記録再生装置が映像情報を受信不可能であると判定した場合、前記記録装置に録画命令を送信することを特徴とする映像記録再生システム。
【請求項１４】
前記映像記録再生装置は、映像情報を受信不可能であると判定した場合、ユーザに受信不可能である旨を報知することを特徴とする請求項１３に記載の映像記録再生システム。
【請求項１５】
前記映像記録再生装置は、前記所定の時間後に予約録画を設定している場合、前記予約録画の情報を前記記録再生装置に送信して予約録画を設定することを特徴とする請求項１３に記載の映像記録再生システム。
【発明の詳細な説明】
【技術分野】
【０００１】
本発明は、放送電波を受信して視聴および録画可能な映像記録再生装置および映像記録再生システムに関し、特に、事前に所定の時間後の視聴および予約録画の可否判定が可能で、映像記録再生装置において視聴および予約録画ができない場合に対処が可能な映像記録再生装置および映像記録再生システムに関する。
【背景技術】
【０００２】
従来の技術として、予約録画の実行の際に、放送電波の受信状況を判定して録画の可否判定を行う映像記録再生装置がある（例えば、特許文献１参照）。
【０００３】
この映像記録再生装置は、予約録画情報を有するメモリと、時刻を計時するタイマと、放送電波を受信するチューナと、受信した映像信号を復調する復調部と、録画可否を判定する判定手段を有する制御部とを有する。制御部の判定手段は、録画開始時刻の所定の時間前に設定される録画可否判定時刻をタイマが計時すると、メモリに記憶した予約録画情報に関する予約番組の受信状況を判定するために、チューナおよび復調部から判定信号を受信し、録画可否の判定を行い、録画できない状態にあると判定した場合、その状態をユーザに報知する。録画可否判定時刻を予約録画の録画開始時刻より前に設定することで、例えば録画開始時刻までに録画可能な地域へ移動する等して受信状態を改善したり、録画可能な他の機器に録画を委ねる等の対処を実行することができる。
【特許文献１】特開２００６−１８６６７３号公報
【発明の開示】
【発明が解決しようとする課題】
【０００４】
しかし、従来の映像記録再生装置によると、録画の可否判定は、録画開始時刻より以前の録画可否判定時刻において行われるものであり、必ずしも録画開始時刻の受信状況に一致するものではなく、例えば録画可否判定時刻において録画可能と判定されたとしても、録画開始時刻に受信状況が悪化して録画に失敗する可能性がある。また、録画不能な状態にあると判定した場合、その状態をユーザに報知してもユーザが録画開始時刻までに対処できるとは限らず、予約録画の録画が失敗する可能性があるという問題がある。
【０００５】
従って、本発明の目的は、事前に所定の時間後の視聴および録画の可否判定が可能で、映像記録再生装置において視聴および録画不能な場合に対処が可能な映像記録再生装置および映像記録再生システムを提供することにある。
【課題を解決するための手段】
【０００６】
上記目的を達成するため、映像情報を受信する映像受信部と、現在位置を取得する位置情報取得部と、外部ネットワークと通信可能な通信部と、前記現在位置の履歴である位置履歴情報と、放送番組及び録画開始時刻を含む予約録画情報と、前記映像受信部が映像情報を受信できない地域の位置情報とを格納する記憶部と、前記位置履歴情報に基づいて前記録画開始時刻の予想位置を算出し、前記予想位置が前記映像情報を受信できない地域に含まれる場合には、前記通信部を介して前記外部ネットワークに接続された受信可能状態にある外部機器へ予約録画情報を送信する制御部とを有することを特徴とする映像記録再生装置を提供する。
【０００７】
上記した構成によれば、現在位置を取得して予想位置を算出し、予想位置が映像情報を受信できない地域である場合に、外部ネットワークに接続された受信可能状態にある機器へ予約録画情報を送信して予約録画を設定するため、映像記録再生装置において映像情報が受信できない状態になることを予め判定でき、かつ映像記録再生装置において受信できない予約録画を他の機器において補間することができる。
【０００８】
また、上記目的を達成するため、映像情報を受信する映像受信部と、前記受信部で受信した前記映像情報を再生する再生部と、現在位置を取得する位置情報取得部と、外部ネットワークと通信可能な通信部と、前記現在位置の履歴である位置履歴情報と、前記映像受信部が映像情報を受信できない地域の位置情報を格納する記憶部と、前記位置履歴情報に基づいて所定の時間後の予想位置を算出し、前記映像受信部で受信した映像情報の再生中に、前記予想位置が前記映像情報を受信できない地域に含まれる場合には、前記通信部を介して前記外部ネットワークに接続された受信可能状態にある外部機器へ前記視聴中の映像情報を録画するための録画命令を送信する制御部とを有することを特徴とする映像記録再生装置を提供する。
【０００９】
上記した構成によれば、現在位置を取得して予想位置を算出し、予想位置が映像情報を受信できない地域である場合に、外部ネットワークに接続された受信可能状態にある機器へ録画命令を送信して録画を設定するため、映像記録再生装置において映像情報が受信できない状態になることを予め判定でき、かつ映像記録再生装置において受信できない映像信号を他の機器において補間することができる。
【００１０】
また、上記目的を達成するため、映像情報を受信可能であると共に現在位置を取得可能であり、ネットワークを介して通信可能な映像記録再生装置と、前記ネットワークに接続されて前記映像記録再生装置と通信可能で、映像情報を受信および記録可能な記録装置とを有し、前記映像記録再生装置は、受信した現在位置に基づいて所定の時間後に前記映像記録再生装置が映像情報を受信不可能であると判定した場合、前記記録装置に録画命令を送信することを特徴とする映像記録再生システムを提供する。
【００１１】
上記した構成によれば、映像記録装置が映像信号の受信不可能である状態になっても、記録再生装置に受信できない映像信号の録画を設定することができるため、視聴の欠落および予約録画の失敗を防止することができる。
【発明の効果】
【００１２】
本発明によれば、視聴の欠落および予約録画の失敗を防止できる。
【発明を実施するための最良の形態】
【００１３】
以下に、映像記録再生装置および映像記録再生システムの実施の形態を、図面を参照して詳細に説明する。
【００１４】
〔第１の実施の形態〕
（映像記録再生装置の構成）
図１は、第１の実施の形態に関する映像記録再生システムを示す概略図である。
【００１５】
映像記録再生システム１０００は、ワンセグ放送電波とＧＰＳ（Ｇｌｏｂａｌ  Ｐｏｓｉｔｉｏｎｉｎｇ  Ｓｙｓｔｅｍ）情報とを受信可能で携帯電話電波を介して外部と通信可能な映像記録再生装置１と、映像情報として地上デジタルテレビ放送のワンセグメント部分受信サービスを放送するワンセグ放送基地２と、映像記録再生装置１の位置を検出させるための電波信号を映像記録再生装置１に発信するＧＰＳ３と、携帯電話電波を介して映像記録再生装置１とインターネット５とを通信可能とする携帯電話基地４と、それぞれの機器を相互接続するネットワークであるインターネット５と、住居６Ａに設置されてワンセグ放送基地２または図示しない地上デジタル放送波を受信および録画可能な記録装置６と、インターネット５に接続されて映像記録再生装置１と情報を通信可能なサーバ７とから構成される。
【００１６】
映像記録再生装置１は、ワンセグ受信可能地域２Ａに位置する場合、ワンセグ放送基地２よりワンセグ放送電波を受信可能で、ワンセグ受信不可能地域２Ｂに位置する場合、ワンセグ放送電波を受信できない。ＧＰＳの電波信号および携帯電話電波はいずれの場所においても受信可能であるとする。
【００１７】
図２は、第１の実施の形態に関する映像記録再生装置の外観を示す概略図である。
【００１８】
映像記録再生装置１は、内部にＨＤＤ（Ｈａｒｄ  Ｄｉｓｃ  Ｄｒｉｖｅ）やＣＰＵ（Ｃｅｎｔｒａｌ  Ｐｒｏｃｅｓｓｉｎｇ  Ｕｎｉｔ）等の電子部品を有しており、画像を表示可能なＬＣＤ等からなる表示部１２と、複数のスイッチからなり各操作を実行するための入力部１５とを有する。また、映像記録再生装置１の内部には図示しないワンセグ用、ＧＰＳ用、および携帯電話用のアンテナを有する。
【００１９】
図３は、第１の実施の形態に関する映像記録再生装置の構成を示すブロック図である。
【００２０】
映像記録再生装置１は、バス１Ａによって各部が相互に接続されており、ワンセグ放送電波をアンテナ１０ａを介して受信して復調するワンセグ受信部１０と、映像信号を表示部１２へ映像制御信号として出力する映像出力部１１と、映像出力部１１の出力する映像制御信号を映像として出力する表示部１２と、音声信号を音声として出力する音声出力部１３とを有する。
【００２１】
また、映像記録再生装置１は、携帯電話電波をアンテナ１４ａを介して受送信および復変調する通信部１４と、各部を操作可能な入力部１５と、ＧＰＳからの電波信号をアンテナ１６ａを介して受信して復調して現在位置を取得するＧＰＳ受信部１６と、各情報を記憶可能な記憶部１７と、処理中の情報を一時的に格納するメモリ１８と、各部を統括して制御する制御部１９とを有する。
【００２２】
記憶部１７は、ＧＰＳ受信部１６で受信した電波信号を元に取得した現在位置を記録する位置履歴情報としての位置情報記録テーブル１７Ａと、ワンセグ受信部１０がワンセグ放送電波を受信できない地域情報を記録するワンセグ受信不可能地域テーブル１７Ｂと、入力部１５等を用いてユーザにより設定された番組予約録画情報を記録する予約録画情報１７Ｃと、映像記録再生装置１によって録画された番組を記録する録画映像情報１７Ｄと、道路や線路等の情報を記録する地図情報１７Ｅとを格納する。
【００２３】
制御部１９は、ワンセグ受信部１０の出力および録画された録画映像情報１７Ｄをデコードして映像信号として映像出力部１１へと出力する再生部１９Ａと、予約録画情報１７Ｃ等の設定によって動作しワンセグ受信部１０の出力を録画映像情報１７Ｄとして記録する録画部１９Ｂと、位置情報記録テーブル１７Ａに記録された位置情報に基づいて所定の時間後の映像記録再生装置１の位置を計算して予想する録画視聴判断部１９Ｃとを有する。
【００２４】
図４（ａ）〜（ｄ）は、第１の実施の形態に関する映像記録再生装置が処理する情報を示す図表である。
【００２５】
位置情報記録テーブル１７Ａは、図４（ａ）に示すように、記録時刻および位置情報によって記述され、例えば５分おきに追加して記録される。位置情報は、緯度および経度によって記述される。
【００２６】
ワンセグ受信不可能地域テーブル１７Ｂは、図４（ｂ）に示すように、ＡおよびＢの２つの地点の位置情報によって記述される。ＡおよびＢは、それぞれ緯度および経度によって記述される位置情報である。例えば、ワンセグ受信不可能地域２Ｂが、図４（ｃ）に示すような領域である場合、ワンセグ受信不可能地域２Ｂを包括するように複数のセル２０を想定し、図４（ｄ）に示すように、セル２０にＡおよびＢの２つの地点を定義することで、ワンセグ受信不可能地域テーブル１７Ｂは、ワンセグ受信不可能地域２Ｂを記述する。
【００２７】
（第１の実施の形態の動作）
以下に、第１の実施の形態における映像記録再生装置の動作を各図を参照しつつ説明する。
【００２８】
映像記録再生装置１は、ワンセグ放送基地２からワンセグ放送電波を受信することによりワンセグ放送の番組を視聴可能となる。また、ＧＰＳ３から電波信号を受信することにより現在位置が確認可能である。また、携帯電話基地４と通信することによりインターネット５を通じて外部、例えば住居６Ａの記録装置６やサーバ７と通信が可能となる。
【００２９】
ワンセグ放送受信の際、ワンセグ受信部１０は、ワンセグ放送電波をアンテナ１０ａを介して受信して復調する。ワンセグ受信部１０の出力は、制御部１９の再生部１９Ａに送信されてデコードされ、再生部１９Ａは映像信号および音声信号を出力する。映像信号は映像出力部１１に送信されて表示部１２に映像が表示され、音声信号は音声出力部１３に送信されて図示しないスピーカやイヤホンより音声を出力する。
【００３０】
携帯電話電波で通信する際、通信部１４は、携帯電話電波をアンテナ１４ａを介して受送信し、復調および変調を行う。通信部１４の出力は制御部１９によって処理される。
【００３１】
現在位置を確認する際、ＧＰＳ受信部１６は、ＧＰＳ３からの電波信号をアンテナ１６ａを介して受信して復調する。ＧＰＳ受信部１６の出力は、制御部１９で処理された後、記憶部１７の位置情報記録テーブル１７Ａに記録される。
【００３２】
番組を予約録画する際、録画部１９Ｂは、入力部１５の操作によって制御され、日時、チャンネル、録画時間等を指定した予約録画情報を作成して記憶部１７の予約録画情報１７Ｃに記録する。
【００３３】
予約録画実行の際、予約録画情報１７Ｃは、指定した日時になると録画部１９Ｂを起動して録画を実行する。ワンセグ受信部１０は、受信したワンセグ放送電波を復調し、録画部１９Ｂはワンセグ受信部１０の出力を記憶部１７の録画映像情報１７Ｄに記録する。
【００３４】
予約録画実行の一定時刻前，例えば５分前には、録画視聴判断部１９Ｃが起動し、位置情報記録テーブル１７Ａに基づいて、録画開始時刻の予想位置を算出する。予想位置の算出方法はいくつか考えられるが、本実施例では、例えば新しいデータを４つ取得して、ベクトルの平均を取ることにより移動先を計算する。録画視聴判断部１９Ｃは、計算した移動先の予想位置とワンセグ受信不可能地域テーブル１７Ｂとを照合し、予想位置がワンセグ受信不可能地域に含まれる場合には、表示部１２に予約録画時にワンセグを受信不能である旨の警告を表示し、予約録画情報を通信部１４を介して外部へ送信する。外部へ送信された予約録画情報は、インターネット５を介して記録装置６が受信し、記録装置６において予約録画情報に基づいて予約録画が設定される。
【００３５】
図５は、第１の実施の形態に関する映像記録再生装置の動作を示すフローチャートである。
【００３６】
まず、録画視聴判断部１９Ｃが、記憶部１７を参照して予約録画情報１７Ｃが設定されているか確認する（Ｓ１０）。予約録画情報１７Ｃが設定されている場合（Ｓ１０；Ｙｅｓ）、録画開始時刻の５分前になると（Ｓ１１）、録画視聴判断部１９Ｃは、記憶部１７の位置情報記録テーブル１７Ａを参照する（Ｓ１２）。参照した位置情報記録テーブル１７Ａから新しい位置情報を３つ取得し、後述する方法（図６、図７）で数分後，例えば５分後，の予想位置を算出する（Ｓ１３）。
【００３７】
次に、録画視聴判断部１９Ｃは、予想位置と記憶部１７のワンセグ受信不可能地域テーブル１７Ｂとを照合する（Ｓ１４）。ワンセグ受信不可能地域テーブル１７Ｂ中に予想位置情報と一致する位置情報が存在した場合（Ｓ１５；Ｙｅｓ）、通信部１４を介して外部の記録装置６へ予約録画情報１７Ｃを送信して、記録装置６に録画を設定する（Ｓ１６）。同時に、表示部１２または音声出力部１３を介して録画不能である旨を報知する（Ｓ１７）。予約録画開始時刻より前に、映像記録再生装置１が予想位置とは別の位置に移動した場合で、ワンセグ受信可能地域に復帰した場合は（Ｓ１８；Ｙｅｓ）、記録装置６に設定した録画を取り消すよう命令を送信する（Ｓ２１）。
【００３８】
ワンセグ受信不可能地域テーブル１７Ｂ中に予想位置と一致する位置情報が存在しなかった場合（Ｓ１５；Ｎｏ）、また、Ｓ２１を実行した場合、予約録画が完了したか確認し（Ｓ１９）、完了していない場合（Ｓ１９；Ｎｏ）、一定時間待機してＳ１２へと戻る（Ｓ２０）。
【００３９】
図６は、第１の実施の形態に関する映像記録再生装置の予想位置情報の計算動作を示す概略図である。
【００４０】
映像記録再生装置１は、図５のＳ１２〜Ｓ１４における動作において、まず位置情報記録テーブル１７Ａから位置情報を新しいものから４つ取得する。具体的にｔ０、ｔ１、ｔ２、ｔ３の順に時間が並んでおり、図６においては各時刻における映像記録再生装置１の位置を丸で示している。各時刻の間隔は５分であり、ｔｘはｔ３から５分後の時刻である。ｔｘの位置は、ｔ０を出発して２０分後の映像記録再生装置１の位置であり、ｔ０、ｔ１、ｔ２、ｔ３の位置に基づいて近似を計算することによりｔ０からｔｘのベクトルが求まる。
【００４１】
（第１の実施の形態の効果）
上記した第１の実施の形態によると、位置情報記録テーブル１７Ａの位置情報に基づいて予想位置を算出し、予想位置がワンセグ受信不可能地域テーブル１７Ｂに一致した場合には外部の記録装置６に予約録画情報を送信して予約録画を設定するため、映像記録再生装置１がワンセグ受信不可能地域２Ｂに移動しても、ワンセグ受信不可能地域に進入する前に予約録画の失敗を防止する対策を講じることができる。
【００４２】
また、予約録画開始時刻の前にワンセグ受信可能地域２Ａに復帰した場合には、外部の記録装置６に設定した予約録画情報を消去するため、録画した録画映像情報が重複することがなく記録装置６の記憶部の記憶容量の消費を抑えることができる。
【００４３】
なお、映像記録再生装置１の録画視聴判断部１９Ｃ、位置情報記録テーブル１７Ａ、およびワンセグ受信不可能地域テーブル１７Ｂは、それらのすべてもしくは一部をサーバ７に格納するようにしてもよく、予約録画が実行可能かどうかをサーバ７に判別させるようにしてもよい。この構成において、映像記録再生装置１の構成の簡略化、および記憶部１７の消費の抑制を図ることができる。
【００４４】
なお、受信する放送電波はワンセグ放送電波に限らず、電波を用いたものであれば帯域や放送形式等は問わない。また、通信は携帯電話の方式に限らず、無線ＬＡＮやＢｌｕｅｔｏｏｔｈ等を用いることができる。また、記録装置６は、インターネット５を介さずに映像記録再生装置１と直接無線ＬＡＮ等で通信しても構わない。
【００４５】
なお、ワンセグ受信不可能地域テーブル１７Ｂは、予め映像記録再生装置１に格納されるものであるが、制御部１９に受信不可能地域学習部を設けてワンセグ受信部１０の受信状況に基づいて定期的に更新するようにしてもよい。このような構成において、ワンセグ受信不可能地域テーブル１７Ｂの精度が向上し、その結果として録画視聴判断部１９Ｃの判定精度が向上する。
【００４６】
〔第２の実施の形態〕
以下に、第２の実施の形態における映像記録再生装置の動作を各図を参照しつつ説明する。なお、以下の説明において、第１の実施の形態と同一の構成および機能を有する部分については共通の符号を付している。
【００４７】
図７は、第２の実施の形態に関する映像記録再生装置の予想位置情報の計算動作を示す概略図である。
【００４８】
図５のＳ１２〜Ｓ１４における動作において、映像記録再生装置１の録画視聴判断部１９Ｃは、まず位置情報記録テーブル１７Ａから位置情報を新しいものから３つ取得する。具体的にｔ１、ｔ２、ｔ３の順に時間が並んでおり、図７においては各時刻における映像記録再生装置１の位置を丸で示している。各時刻の間隔は５分であり、ｔｘはｔ３から５分後の時刻である。次に、録画視聴判断部１９Ｃは、地図情報１７Ｅを読み込み、ｔ１、ｔ２、ｔ３の位置に基づいて、それぞれの位置が駅８Ａおよび線路８Ｃ上にある場合は、線路８Ｃ上を移動しているとみなし、平均時速からｔｘの予想位置情報、駅８Ｂが求まる。なお、地図情報１７Ｅに基づいて予想位置情報を求める際には、線路以外に高速道路、航空経路、航海経路、バス経路等を参照してもよい。また，カーナビゲーションシステムと連動して，カーナビゲーションに設定されたナビゲートの順路を参照してもよい。
【００４９】
（第２の実施の形態の効果）
第２の実施の形態によると、位置情報記録テーブル１７Ａとともに、地図情報１７Ｅに基づいて予想位置情報を求めることにより、予想位置情報の精度を向上することができる。
【００５０】
〔第３の実施の形態〕
【００５１】
図８は、第３の実施の形態に関する映像記録再生装置の動作を示すフローチャートである。
【００５２】
まず、録画視聴判断部１９Ｃが、再生部１９Ａにアクセスしてワンセグを視聴中か確認する（Ｓ３０）。ワンセグ視聴中の場合（Ｓ３０；Ｙｅｓ）、録画視聴判断部１９Ｃは、記憶部１７の位置情報記録テーブル１７Ａを参照する（Ｓ３１）。参照した位置情報記録テーブル１７Ａから新しい位置情報を３つ取得し、予想位置情報として前述した方法（図６、図７）で数分後，例えば５分後，の位置を算出する（Ｓ３２）。
【００５３】
次に、録画視聴判断部１９Ｃは、予想位置と記憶部１７のワンセグ受信不可能地域テーブル１７Ｂとを照合する（Ｓ３３）。ワンセグ受信不可能地域テーブル１７Ｂ中に予想位置情報と一致する位置情報が存在した場合（Ｓ３４；Ｙｅｓ）、通信部１４を介して外部の記録装置６へ録画命令を送信して、記録装置６に録画を実行させる（Ｓ３５）。同時に、表示部１２または音声出力部１３を介して視聴不能である旨を報知する（Ｓ３６）。ワンセグ受信可能地域２Ａに復帰した場合（Ｓ３７；Ｙｅｓ）、また一定時間後にワンセグ受信可能地域２Ａに復帰した場合（Ｓ４０）、記録装置６で実行中の録画動作を停止する命令を送信する（Ｓ３８）。
【００５４】
ワンセグ受信不可能地域テーブル１７Ｂ中に予想位置情報と一致する位置情報が存在しなかった場合（Ｓ３４；Ｎｏ）、一定時間待機してＳ３０へと戻る（Ｓ３９）。また、Ｓ３０においてワンセグを視聴していないと判定した場合（Ｓ３０）、動作を終了する。
【００５５】
（第３の実施の形態の効果）
第３の実施の形態によると、位置情報記録テーブル１７Ａの位置情報に基づいて予想位置情報を算出し、予想位置情報がワンセグ受信不可能地域テーブル１７Ｂに一致した場合には、予め外部の記録装置６に録画命令を送信して録画を実行させるため、映像記録再生装置１がワンセグを視聴中にワンセグ受信不可能地域２Ｂに移動しても、後に視聴を失敗した映像を確認でき、視聴の失敗を防止する対策を講じることができる。
【００５６】
なお、映像記録再生装置１の録画視聴判断部１９Ｃ、位置情報記録テーブル１７Ａ、およびワンセグ受信不可能地域テーブル１７Ｂは、それらのすべてもしくは一部をサーバ７に格納するようにしてもよく、視聴が可能かどうかをサーバ７に判別させるようにしてもよい。この構成において、映像記録再生装置１の構成の簡略化、および記憶部１７の消費の抑制を図ることができる。
【図面の簡単な説明】
【００５７】
【図１】第１の実施の形態に関する映像記録再生システムを示す概略図である。
【図２】第１の実施の形態に関する映像記録再生装置の外観を示す概略図である。
【図３】第１の実施の形態に関する映像記録再生装置の構成を示すブロック図である。
【図４】（ａ）〜（ｄ）は、第１の実施の形態に関する映像記録再生装置が処理する情報を示す図表である。
【図５】第１の実施の形態に関する映像記録再生装置の動作を示すフローチャートである。
【図６】第１の実施の形態に関する映像記録再生装置の予想位置の計算方法を示す概略図である。
【図７】第２の実施の形態に関する映像記録再生装置の予想位置の計算動作を示す概略図である。
【図８】第３の実施の形態に関する映像記録再生装置の動作を示すフローチャートである。
【符号の説明】
【００５８】
１…映像記録再生装置、１Ａ…バス、２…ワンセグ放送基地、２Ａ…ワンセグ受信可能地域、２Ｂ…ワンセグ受信不可能地域、３…ＧＰＳ、４…携帯電話基地、５…インターネット、６…記録装置、６Ａ…住居、７…サーバ、８Ａ…駅、８Ｂ…駅、８Ｃ…線路、１０…ワンセグ受信部、１０ａ…アンテナ、１１…映像出力部、１２…表示部、１３…音声出力部、１４…通信部、１４ａ…アンテナ、１５…入力部、１６…ＧＰＳ受信部、１６ａ…アンテナ、１７…記憶部、１７Ａ…位置情報記録テーブル、１７Ｂ…ワンセグ受信不可能地域テーブル、１７Ｃ…予約録画情報、１７Ｄ…録画映像情報、１７Ｅ…地図情報、１８…メモリ、１９…制御部、１９Ａ…再生部、１９Ｂ…録画部、１９Ｃ…録画視聴判断部、２０…セル、１０００…映像記録再生システム
【図１】
2008182344.tif 000003
【図２】
2008182344.tif 000004
【図３】
2008182344.tif 000005
【図４】
2008182344.tif 000006
【図５】
2008182344.tif 000007
【図６】
2008182344.tif 000008
【図７】
2008182344.tif 000009
【図８】
2008182344.tif 000010